(57)【要約】  本発明は、機器ユニット部分と給湯部分と暖房部分とインテリジェント制御部分と、を含むデュアルコンプレッサー空気熱源ヒートポンプ給湯・暖房システムを開示する。前記機器ユニット部分は、空気熱源ヒートポンプの加熱部分と電熱部分と水路管路材部分と制御回路部分とを含む。前記制御回路部分が検出した入水温度と環境温度に基づき空気熱源ヒートポンプの加熱部分を制御して異なるコンプレッサー組合せを使用し、コンプレッサーがオンになった後、出水温度が設定温度に達したと検出された時、電熱部分が出力しないよう制御し、設定温度に達することができないと検出した時、検出した入出水温差、及び、水路管路材部分で検出した流量に基づき、電熱部分を制御して必要な電熱の電力を出力し、空気熱源ヒートポンプの加熱部分と電熱部分がいずれも全電力の出力で、且つ、出水温度が設定温度に達していない時、検出した温度に基づき水路管路材部分を制御し流量調節弁によって流量を調節することで出水温度を一定に保たせることに用いられる。
2015505949.tif 000002
【特許請求の範囲】
【請求項１】
機器ユニット部分と給湯部分と暖房部分とインテリジェント制御部分と、を含むデュアルコンプレッサー空気熱源ヒートポンプ給湯・暖房システムであって、
前記機器ユニット部分は、空気熱源ヒートポンプの加熱部分と電熱部分と水路管路材部分と制御回路部分とを含み、前記制御回路部分は検出した入水温度と環境温度に基づき前記空気熱源ヒートポンプの加熱部分を制御して異なるコンプレッサー組合せを使用、又は、コンプレッサーがオンになった後、出水温度が設定温度に達したと検出された時、前記電熱部分が出力しないよう制御、若しくは、出水温度が設定温度に達することができないと検出した時、検出した入出水温差、及び、前記水路管路材部分で検出した流量に基づき、前記電熱部分を制御して必要な電熱の電力を出力、或いは、前記空気熱源ヒートポンプの加熱部分と前記電熱部分がいずれも全電力の出力で、且つ、出水温度が設定温度に達していない時、検出した温度に基づき前記水路管路材部分を制御し流量調節弁によって流量を調節することで出水温度を一定に保持、又は、暖房の需要コマンドを受信した時、検出した室内環境温度、或いは、床暖房コイルの温度に基づき暖房コマンドを実行するかどうかを判断し、室内環境温度、或いは、床暖房コイルの温度が暖房起動の要求温度に達した時、暖房機能を実行させ、室内環境温度、或いは、床暖房コイルの温度が稼働停止温度に達していることを検出した時暖房機能をオフにすることに用いられることを特徴とするデュアルコンプレッサー空気熱源ヒートポンプ給湯・暖房システム。
【請求項２】
前記空気熱源ヒートポンプの加熱部分は、第１のコンプレッサーと第２のコンプレッサーと第１の電磁弁と第２の電磁弁と第３の電磁弁と第４の電磁弁と第５の電磁弁と第６の電磁弁と集中プレート式熱交換器と暖房用プレート式熱交換器と第１のフィルタと第２のフィルタと膨張弁と第１の蒸発器と第２の蒸発器と第１の圧力除去用凝縮器と第２の圧力除去用凝縮器と第１の圧力除去用節流細管と第２の圧力除去用節流細管と気液分離器とファンブレードとモータと第１の節流細管と除霜細管と、を含み、上記の部材が管路を通じて接続した後で、密閉式ヒートポンプ給湯・暖房システムが形成され、
順番通り接続した第１のコンプレッサーと第２の電磁弁と集中プレート式熱交換器と暖房用プレート式熱交換器と第１のフィルタと膨張弁と第１の蒸発器と気液分離器と第１のコンプレッサーが、第１のコンプレッサーシステムの第１給湯・暖房経路を形成し、
順番通り互いに接続した第１のコンプレッサーと第６の電磁弁と暖房用プレート式熱交換器と第１のフィルタと膨張弁と第１の蒸発器と気液分離器と第１のコンプレッサーが、第１のコンプレッサーシステムの第２給湯・暖房経路を形成し、
順番通り互いに接続した第１のコンプレッサーと第４の電磁弁と第１の圧力除去用凝縮器と第１の圧力除去用節流細管と第１の蒸発器と気液分離器と第１のコンプレッサーが、第１のコンプレッサーシステムの圧力除去経路を形成し、
順番通り互いに接続した第１のコンプレッサーと第１の電磁弁と除霜細管と第１の蒸発器と気液分離器と第１のコンプレッサーが、第１のコンプレッサーシステムの除霜経路を形成し、
順番通り互いに接続した第２のコンプレッサーと第３の電磁弁と集中プレート式熱交換器と第２のフィルタと第１の節流細管と第２の蒸発器と第２のコンプレッサーが、第２のコンプレッサーシステムの給湯・暖房経路を形成し、
順番通り互いに接続した第２のコンプレッサーと第５の電磁弁と第２の圧力除去用凝縮器と第２の圧力除去用節流細管と第２の蒸発器と第２のコンプレッサーが、第２のコンプレッサーシステムの圧力除去経路を形成することを特徴とする請求項１に記載のデュアルコンプレッサー空気熱源ヒートポンプ給湯・暖房システム。
【請求項３】
前記電熱部分は、発熱体アセンブリーとシリコン制御整流素子アセンブリーと第１のサーモスタットと第２のサーモスタットと筐体と発熱体アセンブリーの入水管と発熱体アセンブリーの出水管と端子台等と、を含むことを特徴とする請求項１に記載のデュアルコンプレッサー空気熱源ヒートポンプ給湯・暖房システム。
【請求項４】
前記水路管路材部分は、順番通り互いに接続した水流スイッチと集中プレート式熱交換器と電動混合栓と流量計と前記電熱部分に接続する流量調節弁と、を含むことを特徴とする請求項１に記載のデュアルコンプレッサー空気熱源ヒートポンプ給湯・暖房システム。
【請求項５】
前記制御回路は、ＭＣＵと温度検出回路と電熱用電力制御回路とを備える主制御盤と、操作盤とを含むことを特徴とする請求項１に記載のデュアルコンプレッサー空気熱源ヒートポンプ給湯・暖房システム。
【請求項６】
前記制御回路部分は、更に正確なコンプレッサー組合せを選択した後で過温現象が現れた時、検出した出水温度に基づき前記第４の電磁弁、或いは、前記第５の電磁弁の動作を制御することに用いられることを特徴とする請求項２に記載のデュアルコンプレッサー空気熱源ヒートポンプ給湯・暖房システム。
【請求項７】
前記制御回路部分は、更に正確なコンプレッサーの組合せを選択した後で過温現象が現れた時、電動混合栓を通じてヒートポンプ出水と冷水の入出割合を調節することに用いられることを特徴とする請求項４に記載のデュアルコンプレッサー空気熱源ヒートポンプ給湯・暖房システム。
【請求項８】
前記インテリジェント制御部分は、前記制御回路と制御端末とサーバーと無線通信モジュールとを含み、前記サーバーが無線ネットワークを通じて前記制御端末、及び、無線通信モジュールに接続し、前記操作盤が第１のＲＳ４８５／２３２通信回路を通じて主制御盤に接続し、前記無線通信モジュールが無線ネットワークを通じて前記サーバーを中継局として制御端末と通信し、第２のＲＳ４８５／２３２通信回路を通じて前記主制御盤と接続することを特徴とする請求項５に記載のデュアルコンプレッサー空気熱源ヒートポンプ給湯・暖房システム。
【請求項９】
前記無線通信モジュールと前記操作盤が統合することを特徴とする請求項８に記載のデュアルコンプレッサー空気熱源ヒートポンプ給湯・暖房システム。
【請求項１０】
前記無線通信モジュールと前記主制御盤が統合することを特徴とする請求項８に記載のデュアルコンプレッサー空気熱源ヒートポンプ給湯・暖房システム。
【発明の詳細な説明】
【技術分野】
【０００１】
本発明は、デュアルコンプレッサー空気熱源ヒートポンプ給湯・暖房分野に関し、特に、インテリジェント制御機能付きのすぐ使える状態になるデュアルコンプレッサー空気熱源ヒートポンプ給湯・暖房システムに関する。
【背景技術】
【０００２】
従来のデュアルコンプレッサー空気熱源ヒートポンプ給湯・暖房システムは、一般的に３部分からなり、１つ目が本体部分、２つ目がタンク部分、３つ目が暖房システム部分である。家庭用タイプタンクについて１、容量が一般的に１５０〜３２０Ｌで、タンクの体積が非常に大きく、据付時も建築面積の広いスペースを占用する必要があり、タンクをブラケットで壁外に取り付けることもあり、タンク本体に水の重量を加えと、このような取り付け方式は非常に危険である。２、タンク内層部本体に使用される材料及び技術は、ステンレス鋼内層部或いは陶磁内層部を問わず、製造技術の欠陥により、タンクからの漏水が避けられない。３、タンク内部の熱交換器は、一般的に銅管又はステンレス鋼管が使用され、水質の悪い地域では、熱交換チューブが腐食して破損してしまい、冷媒の漏えいにつながる。一度漏えいが起きると、機器ユニットにとって致命的な損傷となってしまう。４、本体とタンクの間に接続管により相互連結する必要があるため、据付時に人為的なミスで冷媒の漏えいが起きることが避けられない。５、貯湯式ヒートポンプの特性は、水温を比較的高い温度まで上昇させる必要があり、且つ所要時間が比較的長いため、すぐにお湯を使いたいという要求を満たすことができず、また長時間使用し続けると、水温変化が比較的大きく、使用に当たっての快適性に影響を及ぼす。また、凝縮温度の高さが機器ユニットのエネルギー消費を決定する。従来のタンク付き機器ユニットでは、長期に渡って高凝縮温度と高凝縮圧力の下で運転されるため、コンプレッサーの寿命にとって極めて大きな試練となる。６、貯湯式タンクを採用すると、水を使う時水とお湯を混ぜ合わせなければならず、このようにすると以下のいくつかの問題があり、つまり１）タンク内の熱湯使用率が高くない、２）タンクが保温過程中において、水温が下がっていてエネルギー消費が増える、３）利用者の家に水栓を取り付ける時、必ず混水栓を取り付ける必要があるため、材料コストが増す。７、一般的に暖房システムでタンク内の熱エネルギーを取る時、タンク内部に１個の熱交換コイルを取り付けて床暖房コイル或いは加熱板及び循環水ポンプと閉合回路を構成する必要があり、こうなるとタンク生産技術の困難性が高まり、タンクの容積を占めてしまう。８、従来の給湯・暖房システムには、インテリジェント制御機能がなく、給湯・暖房システムに対し各種遠隔監視を行うことができないため、現代人の多様なニーズに応えることができない。１）例えば利用者が事前或いは定刻に暖房を起動させようとしても、家に誰もいない時、実現できない。２）利用者が長時間出かけ、暖房又は給湯用水のオフを忘れた際、遠隔で暖房又は給湯操作をオフにすることができない。３）従来の給湯・暖房システムにある種の故障が発生して、現場での分析や解決する場合、特にアフターサービス拠点が不足地域、若しくは辺鄙な地域になると、アフターサービスの適時性及び顧客満足度が大幅に下がる。
【発明の概要】
【０００３】
本発明は、上記の技術に存在する欠陥と不足に鑑み、一体設計で、生産と取り付けがより一層便利で、水を使う時の快適性を向上できると同時に暖房機能を提供することで、機器ユニット機能の多様性及びネットワーク経由のインテリジェント遠隔制御を実現し、現代人の多様なニーズに答えることができるインテリジェント制御機能付きのデュアルコンプレッサーシステムのすぐ使える状態になる定温デュアルコンプレッサー空気熱源ヒートポンプ給湯・暖房システムを提供する。
【０００４】
上記技術の問題点を解決するため、本発明の技術的思想として、機器ユニット部分と給湯部分と暖房部分とインテリジェント制御部分と、を含むデュアルコンプレッサー空気熱源ヒートポンプ給湯・暖房システムを提供する。前記機器ユニット部分は、空気熱源ヒートポンプの加熱部分と電熱部分と水路管路材部分と制御回路部分とを含み、前記制御回路部分は検出した入水温度と環境温度に基づき空気熱源ヒートポンプの加熱部分を制御して異なるコンプレッサー組合せを使用、又はコンプレッサーがオンになった後、出水温度が設定温度に達したと検出された時、電熱部分が出力しないよう制御、若しくは出水温度が設定温度に達することができないと検出した時、検出した入出水温差及び水路管路材部分で検出した流量に基づき、電熱部分を制御して必要な電熱の電力を出力、或いは空気熱源ヒートポンプの加熱部分と電熱部分がいずれも全電力の出力で、且つ出水温度が設定温度に達していない時、検出した温度に基づき水路管路材部分を制御し流量調節弁によって流量を調節することで出水温度を一定に保持、又は暖房の需要コマンドを受信した時、検出した室内環境温度或いは床暖房コイルの温度に基づき暖房コマンドを実行するかどうかを判断し、室内環境温度或いは床暖房コイルの温度が暖房起動の要求温度に達した時、暖房機能を実行させ、室内環境温度或いは床暖房コイルの温度が稼働停止温度に達していることを検出した時暖房機能をオフにすることに用いられる。
【０００５】
前記空気熱源ヒートポンプの加熱部分は、第１のコンプレッサーと第２のコンプレッサーと第１の電磁弁と第２の電磁弁と第３の電磁弁と第４の電磁弁と第５の電磁弁と第６の電磁弁と集中プレート式熱交換器と暖房用プレート式熱交換器と第１のフィルタと第２のフィルタと膨張弁と第１の蒸発器と第２の蒸発器と第１の圧力除去用凝縮器と第２の圧力除去用凝縮器と第１の圧力除去用節流細管と第２の圧力除去用節流細管と気液分離器とファンブレードとモータと第１の節流細管と除霜細管と、を含む。上記の部材が管路を通じて接続した後で、密閉式ヒートポンプ給湯・暖房システムが形成される。順番通り接続した第１のコンプレッサーと第２の電磁弁と集中プレート式熱交換器と暖房用プレート式熱交換器と第１のフィルタと膨張弁と第１の蒸発器と気液分離器と第１のコンプレッサーが、第１のコンプレッサーシステムの第１給湯・暖房経路を形成する。順番通り互いに接続した第１のコンプレッサーと第６の電磁弁と暖房用プレート式熱交換器と第１のフィルタと膨張弁と第１の蒸発器と気液分離器と第１のコンプレッサーが、第１のコンプレッサーシステムの第２給湯・暖房経路を形成する。順番通り互いに接続した第１のコンプレッサーと第４の電磁弁と第１の圧力除去用凝縮器と第１の圧力除去用節流細管と第１の蒸発器と気液分離器と第１のコンプレッサーが、第１のコンプレッサーシステムの圧力除去経路を形成する。順番通り互いに接続した第１のコンプレッサーと第１の電磁弁と除霜細管と第１の蒸発器と気液分離器と第１のコンプレッサーが、第１のコンプレッサーシステムの除霜経路を形成する。順番通り互いに接続した第２のコンプレッサーと第３の電磁弁と集中プレート式熱交換器と第２のフィルタと第１の節流細管と第２の蒸発器と第２のコンプレッサーが、第２のコンプレッサーシステムの給湯・暖房経路を形成する。順番通り互いに接続した第２のコンプレッサーと第５の電磁弁と第２の圧力除去用凝縮器と第２の圧力除去用節流細管と第２の蒸発器と第２のコンプレッサーが、第２のコンプレッサーシステムの圧力除去経路を形成する。
【０００６】
前記電熱部分は、発熱体アセンブリーとシリコン制御整流素子アセンブリーと第１のサーモスタットと第２のサーモスタットと筐体と発熱体アセンブリーの入水管と発熱体アセンブリーの出水管と端子台等と、を含む。
【０００７】
前記水路管路材部分は、順番通り互いに接続した水流スイッチと集中プレート式熱交換器と電動混合栓と流量計と前記電熱部分に接続する流量調節弁と、を含む。
【０００８】
前記制御回路は、主制御盤と操作盤とを含み、前記主制御盤がＭＣＵと温度検出回路と電熱用電力制御回路とを備える。
【０００９】
前記制御回路部分は、更に正確なコンプレッサー組合せを選択した後で過温現象が現れた時、検出した出水温度に基づき前記第４の電磁弁或いは第５の電磁弁の動作を制御することに用いられる。
【００１０】
前記制御回路部分は、更に正確なコンプレッサーの組合せを選択した後で過温現象が現れた時、電動混合栓を通じてヒートポンプ出水と冷水の入出割合を調節することに用いられる。
【００１１】
前記インテリジェント制御部分は、前記制御回路と制御端末とサーバーと無線通信モジュールとを含む。前記サーバーが無線ネットワークを通じて前記制御端末及び無線通信モジュールに接続し、前記操作盤が第１のＲＳ４８５／２３２通信回路を通じて主制御盤に接続し、前記無線通信モジュールが無線ネットワークを通じてサーバーを中継局として制御端末と通信し、第２のＲＳ４８５／２３２通信回路を通じて前記主制御盤と接続する。
【００１２】
前記無線通信モジュールと前記操作盤が統合する。
【００１３】
前記無線通信モジュールと主制御盤が統合する。
【００１４】
本発明の有益な効果は、一体設計で、生産と取り付けがより一層便利で、水を使う時の快適性を向上できると同時に暖房機能を提供することで、機器ユニット機能の多様性及びネットワーク経由のインテリジェント遠隔制御を実現し、現代人の多様なニーズに答えることができるインテリジェント制御機能付きのデュアルコンプレッサーシステムのすぐ使える状態になる定温デュアルコンプレッサー空気熱源ヒートポンプ給湯・暖房システムを提供する。
【図面の簡単な説明】
【００１５】
図１は、本発明の第１の実施形態に係るデュアルコンプレッサー空気熱源ヒートポンプ給湯・暖房システムを示す図である。
【００１６】
図２は、本発明の電熱部分の構造を示す図である。
【００１７】
図３は、本発明の一実施形態に係るインテリジェント制御部分を示す図である。
【符号の説明】
【００１８】
第１のコンプレッサー１、第２のコンプレッサー２４、第２の電磁弁２、第３の電磁弁２５、第４の電磁弁２６、第５の電磁弁２７、第１の電磁弁１２、電熱部分７、第１の電磁弁１２、第２のコンプレッサー２４、第３の電磁弁２５、第４の電磁弁２６、第５の電磁弁２７、第６の電磁弁２８、暖房用プレート式熱交換器２９、第１のフィルタ１０、第２のフィルタ１９、膨張弁１１、第１の蒸発器２２、第２の蒸発器２０、第１の圧力除去用凝縮器２３、第２の圧力除去用凝縮器２１、第１の圧力除去用節流細管１６、第２の圧力除去用節流細管１７、気液分離器９、ファンブレード１５、モータ１４、第１の節流細管１８、除霜細管１３、水流スイッチ８、集中プレート式熱交換器３、電動混合栓４、流量計５、流量調節弁６、発熱体アセンブリーの出水管７１、発熱体アセンブリー７２、第１のサーモスタット７３、筐体７４、第２のサーモスタット７５、端子台７６、シリコン制御整流素子アセンブリー７７、発熱体アセンブリーの入水管７８、シャワー２０１、湯船２０２、循環水ポンプ３０１、水流スイッチ３０３、床暖房コイル或いは放熱板３０２。
【発明を実施するための形態】
【００１９】
以下、本発明の技術内容、構造の特徴、達成する目的及び効果を理解させるため、実施例を添付図面に基づき詳細に説明する。
【００２０】
図１を参照すると、本発明の第１の実施形態に係るデュアルコンプレッサー空気熱源ヒートポンプ給湯・暖房システムを示す図である。デュアルコンプレッサー空気熱源ヒートポンプ給湯・暖房システムは、機器ユニット部分と給湯部分と暖房部分とを含む。
【００２１】
前記機器ユニット部分は、空気熱源ヒートポンプの加熱部分と電熱部分７と水路管路材部分と制御回路部分とを含み、前記制御回路部分は検出した入水温度と環境温度に基づき空気熱源ヒートポンプの加熱部分を制御して異なるコンプレッサー組合せを使用、又はコンプレッサーがオンになった後、出水温度が設定温度に達したと検出された時、電熱部分が出力しないよう制御、若しくは出水温度が設定温度に達することができないと検出した時、検出した入出水温差及び水路管路材部分で検出した流量に基づき、電熱部分を制御して必要な電熱の電力を出力、或いは空気熱源ヒートポンプの加熱部分と電熱部分がいずれも全電力の出力で、且つ出水温度が設定温度に達していない時、検出した温度に基づき水路管路材部分を制御し流量調節弁によって流量を調節することで出水温度を一定に保持、又は暖房の需要コマンドを受信した時、検出した室内環境温度或いは床暖房コイルの温度に基づき暖房コマンドを実行するかどうかを判断し、室内環境温度或いは床暖房コイルの温度が暖房起動の要求温度に達した時、暖房機能を実行させ、室内環境温度或いは床暖房コイルの温度が稼働停止温度に達していることを検出した時暖房機能をオフにすることに用いられる。
【００２２】
具体的には、前記空気熱源ヒートポンプの加熱部分は、第１のコンプレッサー１と第２のコンプレッサー２４と第２の電磁弁２と第３の電磁弁２５と第４の電磁弁２６と第５の電磁弁２７と第１の電磁弁１２と集中プレート式熱交換器３と暖房用プレート式熱交換器２９と第１のフィルタ１０と第２のフィルタ１９と膨張弁１１と第１の蒸発器２２と第２の蒸発器２０と第１の圧力除去用凝縮器２３と第２の圧力除去用凝縮器２１と第１の圧力除去用節流細管１６と第２の圧力除去用節流細管１７と気液分離器９とファンブレード１５とモータ１４と第１の節流細管１８と除霜細管１３と、を含む。
【００２３】
前記第１のコンプレッサー１、第２の電磁弁２、集中プレート式熱交換器３、暖房用プレート式熱交換器２９、第１のフィルタ１０、膨張弁１１、第１の蒸発器２２、気液分離器９、第１のコンプレッサー１が順番通り接続することで第１のコンプレッサーシステムの第１給湯・暖房経路を構成する。前記第１のコンプレッサー１、第６の電磁弁２８、暖房用プレート式熱交換器２９、第１のフィルタ１０、膨張弁１１、第１の蒸発器２２、気液分離器９、第１のコンプレッサー１が順番通り接続して第１のコンプレッサーシステムの第２給湯・暖房経路を構成する。第１のコンプレッサー１、第４の電磁弁２６、第１の圧力除去用凝縮器２３、第１の圧力除去用節流細管１６、第１の蒸発器２２、気液分離器９、第１のコンプレッサー１が順番通り接続して第１のコンプレッサーシステムの圧力除去経路を構成する。第２のコンプレッサー２４、第３の電磁弁２５、集中プレート式熱交換器３、第２のフィルタ１９、第１の節流細管１８、第２の蒸発器２０、第２のコンプレッサー２４が順番通り接続して第２のコンプレッサーシステムの給湯・暖房経路を構成する。第２のコンプレッサー２４、第５の電磁弁２７、第２の圧力除去用凝縮器２１、第２の圧力除去用節流細管１７、第２の蒸発器２０、第２のコンプレッサー２４が順番通り接続して第２のコンプレッサーシステム圧力除去経路を構成する。第１のコンプレッサー１、第１の電磁弁１２、除霜細管１３、第１の蒸発器２２、気液分離器９、第１のコンプレッサー１が順番通り接続して第１のコンプレッサーシステムの除霜経路を構成する。以上のシステムフローの運転中にモータ１４のファンブレード１５は必要性に応じて運転を起動と停止する。
【００２４】
前記制御回路は、ＭＣＵと温度検出回路と電熱用電力制御回路とを備える主制御盤と、操作盤とを含む。前記制御回路部分は、更に正確なコンプレッサー組合せを選択した後で過温現象が現れた時、検出した出水温度に基づき前記第４の電磁弁或いは第５の電磁弁の動作を制御、又は正確なコンプレッサーの組合せを選択した後で過温現象が現れた時、電動混合栓を通じてヒートポンプ出水と冷水の入出割合を調節することに用いられる。
【００２５】
前記水路管路材部分は、順番通り互いに接続した水流スイッチ８と集中プレート式熱交換器３と電動混合栓４と流量計５と前記電熱部分７に接続する流量調節弁６と、を含む。ＭＣＵは、出力した電力が更に大きな入水要求を満たすことができると検出した時、制御回路部分を通じて電動混合栓４のステッピングモータを駆動して混水することで、大水量を提供する。
【００２６】
図２を参照すると、本発明の電熱部分の構造を示す図である。電熱部分は、発熱体アセンブリーの出水管７１と発熱体アセンブリー７２と第１のサーモスタット７３と筐体７４と第２のサーモスタット７５と端子台７６とシリコン制御整流素子アセンブリー７７と発熱体アセンブリーの入水管７８とを含む。電熱部分の動作原理は、出水温度センサーが出水温度を検出すると共に設定温度と比較した後、メッセージをＭＣＵにフィードバックし、電熱部分をオンにするかどうかを判断し、制御発熱体アセンブリー７２が通電した後、ＭＣＵがシリコン制御整流素子アセンブリー７７を正確に制御し、且つ必要な発熱電力を供給することで、出水を一定に保つ。
【００２７】
図３を参照すると、本発明の一実施形態に係るインテリジェント制御部分を示す図である。前記インテリジェント制御部分は、前記制御回路と制御端末とサーバーと無線通信モジュールとを含む。前記サーバーが無線ネットワークを通じて前記制御端末及び無線通信モジュールに接続し、前記操作盤が第１のＲＳ４８５／２３２通信回路を通じて主制御盤に接続し、前記無線通信モジュールが無線ネットワークを通じてサーバーを中継局として制御端末と通信し、第２のＲＳ４８５／２３２通信回路を通じて前記主制御盤と接続する。本実施形態において、前記無線通信モジュールと前記操作盤が統合し、別の実施形態において、前記無線通信モジュールと主制御盤が統合する。
【００２８】
前記給湯部分は、シャワー２０１と湯船２０２とを含む。その配置は利用者の家の実際の内装及び取付状況によって定め、水使用側は同時に数個の水の使用点の水使用要求を満たすことができる。前記暖房部分は循環水ポンプ３０１と水流スイッチ３０３と床暖房コイル或いは放熱板３０２とを含む。利用者の暖房の需要に基づき、同時に床暖房コイルと放熱板の使用を満たすことができる。
【００２９】
上述の技術的思想を採用する利点は、１、タンクレス設計を採用することで、設置スペースを節約し、簡単に据付できると共に使用上の安全性がある。２、タンクに漏水が起きる現象を根絶できる。３、タンク内のコイルが腐食破損により機器ユニットの廃棄状況を避けることができる。４、接続管使用の部分を減らすことで、冷媒の漏れ確率を大幅に低下する。５、本発明に係る設計された機器ユニットは、蛇口をひねるだけですぐにお湯が使えるため、用水の待ち時間を節約でき、出水温度を一定に保つことで、水を使う時快適性を高め、且つ水を使う時持続性を保証できる。機器ユニットがこのような水を使う状況において、効率がより一層高まり、より一層省エネで、ヒートポンプの機器ユニットの安全且つ安定した運転に有利にあることで、機器ユニットの寿命も保障できる。６、タンクレス設計を採用するため、熱湯の使用率が低くなるという問題が無くなり、保温効果が悪いことによりエネルギー無駄の問題も生じず、これ以外にも利用者の弁類の使用コストを削減できる。７、設計を通じて圧力除去用凝縮器を使用し、出水温度が高すぎることを避けながら機器ユニットの運転負荷を低下できることで、機器ユニットのエネルギー消費を大幅に引き下げることができるため、国の省エネ・二酸化炭素排出量削減の要求に適合している。８、残存電力に基づき、水量を増大している時も出水を一定に保つことを保証できると判断した状態において、電動混合栓を通じてバイパス混水を行い、こうすると総出水流量が更に大きくなり、水を使う時もより一層快適になる。９、用水負荷の大きさによって、相応しいコンプレッサーを選択でき、ヒートポンプを十分利用して水を使う時快適性を保証すると同時に、ヒートポンプの効率をアップし、電力消費を低下できる。１０、給湯の要求を満たすという前提のもとで、操作盤を通じて暖房モードを選択することで、部屋の暖房要求を満たすことができる。１１、該給湯・暖房システムはデュアルコンプレッサーシステムを採用し、用水負荷の大きさによって、相応しいコンプレッサーを選択し、瞬間給湯システムと結合することで、出水を一定に保つことを確保できる。１２、遠隔制御機能を採用することで、利用者は例えば携帯電話又はその他のインターネットに接続できる機器のような制御端末を使用して給湯・暖房システムに対しインテリジェント制御を行うことで、システムの人間的な設計を実現できる。
【００３０】
発明の詳細な説明の項においてなされた具体的な実施例は、あくまでも本発明の技術内容を明らかにするものであって、そのような具体例にのみ限定して狭義に解釈されるべきものではなく、本発明の明細書と添付図面の内容に基づいて行ったこれと同じ効果を持つ効果、若しくはフローの変更、或いはその他関連の技術分野に直接的又は間接的に運用することは、本発明の特許請求の範囲内に含めるものであるのが勿論である。
【図１】
2015505949.tif 000003
【図２】
2015505949.tif 000004
【図３】
2015505949.tif 000005
【国際調査報告】
2015505949.tif 000006
2015505949.tif 000007
2015505949.tif 000008
2015505949.tif 000009
2015505949.tif 000010
2015505949.tif 000011